(57)【要約】【課題】人体の動きなど人体から受ける影響を小さくする工夫を施した絆創膏型ＩＣタグを提供する。【解決手段】絆創膏型ＩＣタグ１は，表面になる表層シート１０と，表層シート１０の裏面に形成した接着層１１と，ＩＣチップ１２１とこれに接続するアンテナ１２２を含むＲＦ回路１２０を少なくとも実装したインレットシート１２と，人体に貼り付けるときの基材になる基材シート１３と，基材シート１３の裏面に形成した粘着層１４を有し，インレットシート１２のサイズは表層シート１０のサイズよりも小さく，表層シート１０の裏面に形成した接着層１１の中央部を利用して，インレットシート１２の実装面と表層シート１０が接着し，インレットシート１２の接着に用いない接着層１１の部分を利用して，表層シート１０と基材シート１３が接着した構成になっている。【選択図】図１
2019008553.tif 000002
【特許請求の範囲】
【請求項１】
表面になる表層シートと，前記表層シートの裏面に形成した接着層と，硬化樹脂による保護膜で覆ったＩＣチップとこれに接続するアンテナを含むＲＦ回路を少なくとも実装したインレットシートと，人体に貼り付けるときの基材になる基材シートと，前記基材シートの裏面に形成した粘着層を少なくとも有し，
前記インレットシートのサイズは前記表層シートのサイズよりも小さく，前記表層シートの裏面に形成した前記接着層の中央部を利用して，前記インレットシートの実装面と前記表層シートが接着し，前記インレットシートの接着に用いない前記接着層の部分を利用して，前記表層シートと前記基材シートが接着している，
ことを特徴とする絆創膏型ＩＣタグ。
【請求項２】
人体に貼り付けたときの共振周波数の低下量に基づき，無線通信で用いる電波の周波数よりも前記絆創膏型ＩＣタグの共振周波数を高めに設定したことを特徴とする，請求項１に記載した絆創膏型ＩＣタグ。
【請求項３】
前記ＲＦ回路に含まれる前記アンテナをコイル型にしたことを特徴する，請求項１または２に記載した絆創膏型ＩＣタグ。
【請求項４】
前記表層シートを，前記インレットシートを収める凸部を成型した樹脂シートにしたことを特徴とする，請求項１から３のいずれか一項に記載した絆創膏型ＩＣタグ。
【発明の詳細な説明】
【技術分野】
【０００１】
本発明は，人体に貼り付け可能に構成されたＩＣタグに関する発明である。
【背景技術】
【０００２】
個体識別に用いるＩＣタグは，物品の個体識別ばかりではなく，生体の個体識別に用いられている。ＩＣタグを用いて個体識別する生体としては，ペットや家畜など人以外の動物の場合もあるが，イベントの来場者や入院患者など人の場合もある。
【０００３】
ＩＣタグを用いて人の個体識別を行う際，個体識別の対象となる人にＩＣタグを身に付けさせることが必要になる。人の個体識別に用いるＩＣタグの形態はカード型が一般的であるが，カード型以外のＩＣタグも発案されている。例えば，特許文献１では，人の個体識別に用いるＩＣタグとして，手首に付けるブレスレットタイプのＩＣタグが開示されている。また，特許文献２では，人の個体識別に用いるＩＣタグとして，絆創膏のように生体の皮膚に貼り付けるタイプのＩＣタグが開示されている。
【先行技術文献】
【特許文献】
【０００４】
【特許文献１】特開２０１３−１０９４４５号公報
【特許文献２】特開２００８−１２３２８３号公報
【発明の概要】
【発明が解決しようとする課題】
【０００５】
上述の特許文献２で開示されている絆創膏型ＩＣタグは，生体の皮膚に貼り付けて利用できるように，少なくともＩＣチップ，回路基材を含んでなるＩＣモジュールと，ＩＣモジュールを生体の皮膚に粘着して保護するシート状の保護テープを備えるが，人体に貼り付けることを考慮すると，ＩＣタグが人体から受ける影響をできるだけ小さくすることが望まれる。例えば，特許文献２の図４で図示されているように，ＩＣモジュールの表裏に接着層を設けた構成のＩＣタグの場合，ＩＣタグの柔軟性が損なわれるので，人体の動きによる影響でＩＣタグが破損することがある。
【０００６】
そこで，本発明は，人体の動きなど人体から受ける影響を小さくする工夫を施した絆創膏型ＩＣタグを提供することを目的とする。
【課題を解決するための手段】
【０００７】
上述した課題を解決する本発明は，表面になる表層シートと，前記表層シートの裏面に形成した接着層と，硬化樹脂による保護膜で覆ったＩＣチップとこれに接続するアンテナを含むＲＦ回路を少なくとも実装したインレットシートと，人体に貼り付けるときの基材になる基材シートと，前記基材シートの裏面に形成した粘着層を少なくとも有し，前記インレットシートのサイズは前記表層シートのサイズよりも小さく，前記表層シートの裏面に形成した前記接着層の中央部を利用して，前記インレットシートの実装面と前記表層シートが接着し，前記インレットシートの接着に用いない前記接着層の部分を利用して，前記表層シートと前記基材シートが接着していることを特徴とする絆創膏型ＩＣタグである。前記絆創膏型ＩＣタグを人体に貼り付けると，前記絆創膏型ＩＣタグの共振周波数は低下するため，人体に貼り付けたときの共振周波数の低下量に基づき，無線通信で用いる電波の周波数よりも前記絆創膏型ＩＣタグの共振周波数を高めに設定することが望ましい。更に，前記ＲＦ回路に含まれるアンテナの小型化を考慮すると，前記ＲＦ回路に含まれる前記アンテナはコイル型にすることが望ましい。更に，前記表層シートを，前記インレットシートを収める凸部を成型した樹脂シートにすると，凸部によって生じる空間により人体の影響をより小さくできる。
【発明の効果】
【０００８】
本発明によれば，人体の動きなど人体から受ける影響を小さくする工夫を施した絆創膏型ＩＣタグを提供できる。
【図面の簡単な説明】
【０００９】
【図１】本実施形態に係る絆創膏型ＩＣタグの表裏を説明する図。
【図２】本実施形態に係る絆創膏型ＩＣタグの構造を説明する図。
【図３】絆創膏型ＩＣタグのインレットシートを説明する図。
【図４】絆創膏型ＩＣタグ連続体の外観を説明する図。
【図５】絆創膏型ＩＣタグ連続体の表裏を説明する図。
【図６】絆創膏型ＩＣタグ連続体の構造を説明する図。
【図７】変形例に係る絆創膏型ＩＣタグの表裏を説明する図。
【図８】変形例に係る絆創膏型ＩＣタグの表層シートを説明する図。
【図９】変形例に係る絆創膏型ＩＣタグの構造を説明する図。
【発明を実施するための形態】
【００１０】
ここから，本発明の好適な実施形態を記載する。なお，以下の記載は本発明の技術的範囲を束縛するものでなく，理解を助けるために記述するものである。
【００１１】
図１は，本実施形態に係る絆創膏型ＩＣタグ１の表裏を説明する図である。本実施形態に係る絆創膏型ＩＣタグ１は，人体（皮膚）に貼り付けて利用されるもので，絆創膏型ＩＣタグ１の形状は絆創膏の形状になっている。
【００１２】
図１（ａ）は，絆創膏型ＩＣタグ１の表側を説明する図で，絆創膏型ＩＣタグ１の表側は，絆創膏型ＩＣタグ１の表面になる表層シート１０で覆われている。一般的の絆創膏型では，パットの部分が膨らんだ状態になっているが，絆創膏型ＩＣタグ１では，ＩＣチップ１２１などを実装したインレットシート１２の部分が膨らんだ状態になっている。図１（ｂ）は，絆創膏型ＩＣタグ１の裏側を説明する図で，絆創膏型ＩＣタグ１の裏側には，絆創膏型ＩＣタグ１を人体に貼り付けるときに用いる粘着層１４が形成され，人体に絆創膏型ＩＣタグ１を貼り付ける前，この粘着層１４は剥離台紙１５によって保護されている。
【００１３】
図２は，本実施形態に係る絆創膏型ＩＣタグ１の構造を説明する図で，図１（ａ）におけるＡ−Ａ’線断面図ある。本実施形態に係る絆創膏型ＩＣタグ１は，絆創膏型ＩＣタグ１の表から順に，絆創膏型ＩＣタグ１の表面になる表層シート１０と，表層シート１０の裏面に形成した接着層１１と，硬化樹脂による保護膜１２１ａで覆ったＩＣチップ１２１とこれに接続するアンテナ１２２を含むＲＦ回路１２０（RF: Radio Frequency）を少なくとも実装したインレットシート１２と，人体に貼り付けるときの基材になる基材シート１３と，基材シート１３の裏面に形成した粘着層１４と，粘着層１４を保護する剥離台紙１５を有し，インレットシート１２のサイズは表層シート１０のサイズよりも小さく，表層シート１０の裏面に形成した接着層１１の中央部を利用して，インレットシート１２の実装面と表層シート１０が接着し，インレットシート１２の接着に用いない接着層１１の部分を利用して，表層シート１０と基材シート１３が接着した構成になっている。なお，インレットシート１２の実装面とは，ＲＦ回路１２０を実装した面を意味している。
【００１４】
このような構成の絆創膏型ＩＣタグ１によれば，ＲＦ回路１２０を実装したインレットシート１２の裏面は基材シート１３と接着していないため，絆創膏型ＩＣタグ１の柔軟性は損なわれず，また，人体に貼り付けられるときの基材となる基材シート１３と同調してインレットシート１２は動かないため，人体の動きによる影響で絆創膏型ＩＣタグ１が破損することは減少する。
【００１５】
ここから，絆創膏型ＩＣタグ１を構成する要素についてそれぞれ説明する。まず，絆創膏型ＩＣタグ１の表層シート１０について説明する。絆創膏型ＩＣタグ１の表層シート１０は，絆創膏型ＩＣタグ１の外装になるシートで，表層シート１０の裏面には接着層１１が形成される。表層シート１０の伸縮性が大きいと，表層シート１０の伸縮による歪によってインレットシート１２に実装したＲＦ回路１２０が破損（例えば，ＩＣチップ１２１とアンテナ１２２の接続が破断）し易くなるので，伸縮性が比較的小さい材料を表層シート１０に用いることが好適である。このような材料として，ポリエチレンテレフタラート（ＰＥＴ），ポリイミド，ポリ塩化ビニル（ＰＶＣ）を表層シート１０に利用できる。
【００１６】
絆創膏型ＩＣタグ１の接着層１１について説明する。絆創膏型ＩＣタグ１の接着層１１は，表層シート１０の裏面に形成される層で，表層シート１０とインレットシート１２の接着，および，表層シート１０と基材シート１３の接着に用いられる層である。絆創膏型ＩＣタグ１の接着層１１は人体に直接触れないので，必要な接着強度を得ることができれば，接着層１１の形成に用いる接着剤は任意でよい。例えば，ゴム系，酢酸ビニルエマルジョン系，アクリル系などの各種接着剤を接着層１１の形成に用いることができる。
【００１７】
絆創膏型ＩＣタグ１のインレットシート１２について説明する。図３は，絆創膏型ＩＣタグ１のインレットシート１２を説明する図である。本実施形態に係るインレットシート１２は，保護膜で覆ったＩＣチップ１２１とこれに接続するアンテナ１２２を含むＲＦ回路１２０をフィルム基材１２ａ上に実装した矩形のシートで，インレットシート１２のサイズ（縦横サイズ）は，表層シート１０のサイズよりも小さくなっている。ＲＦ回路１２０を実装するフィルム基材１２ａとしては，ポリエチレンテレフタラート（ＰＥＴ），ポリイミド，ポリ塩化ビニル（ＰＶＣ）など汎用的な樹脂フィルムを利用できる。
【００１８】
アンテナ１２２のタイプには，平面アンテナ型やダイポール型もあるが，図３では，フィルム基材１２ａに実装するアンテナ１２２のタイプをコイル型にしている。コイル型のアンテナ１２２を用いることで，アンテナ１２２のサイズを小さくでき，小さいことが求められる絆創膏型ＩＣタグ１にとって好都合である。
【００１９】
インレットシート１２のＲＦ回路１２０に含まれるアンテナ１２２を形成する手法としては，導電性インキを用いてアンテナ１２２の形状をフィルム基材１２ａに印刷するスクリーン印刷方式，フィルム基材１２ａに設けた金属箔をアンテナ１２２の形状にエッチングするエッチング方式，予め用意しておいたアンテナ１２２をフィルム基材１２ａに貼り付ける巻線方式などがあるが，アンテナ１２２を形成する手法はいずれでもよい。
【００２０】
インレットシート１２のＲＦ回路１２０に含ませるＩＣチップ１２１は任意に選択してよいが，絆創膏型ＩＣタグ１の用途に適したＩＣチップ１２１の中から，できだけ小型のＩＣチップ１２１を選択するとよい。
【００２１】
ＩＣチップ１２１とアンテナ１２２を接続させることで，絆創膏型ＩＣタグ１は，ＩＣチップ１２１の入力容量やアンテナ１２２などに依存する共振周波数を有することになる。絆創膏型ＩＣタグ１を貼り付ける人体の水分含有量は高く，人体に貼り付けた絆創膏型ＩＣタグ１の共振周波数は，人体に貼り付ける前の共振周波数より低下する。そこで，人体に貼り付けたときの共振周波数の低下量を予め調査し，人体に貼り付けたときの共振周波数の低下量に基づき，無線通信で用いる電波の周波数よりも前記絆創膏型ＩＣタグの共振周波数を高めに設定しておくことが望ましい。例えば，無線通信で使用する電波の周波数が１３．５６Ｍｈｚの場合，絆創膏型ＩＣタグ１の共振周波数が１６Ｍｈｚになるように，ＲＦ回路１２０のアンテナ１２２を設計しておくと，絆創膏型ＩＣタグ１を人体に貼り付けたときの共振周波数は１３，５６Ｍｈｚの近傍になる。
【００２２】
絆創膏型ＩＣタグ１の基材シート１３について説明する。絆創膏型ＩＣタグ１の基材シート１３に伸縮性がないと，人体に貼り付けた絆創膏型ＩＣタグ１が剥がれ易くなるので，一般的な絆創膏と同様に，伸縮性のある材料を絆創膏型ＩＣタグ１の基材シート１３に用いることが望ましい。一般的な絆創膏では，軟質塩化ビニル系樹脂や織布を基材に用いているため，軟質塩化ビニル系樹脂や織布を絆創膏型ＩＣタグ１の基材シート１３に用いるとよい。
【００２３】
絆創膏型ＩＣタグ１の粘着層１４について説明する。絆創膏型ＩＣタグ１の粘着層１４は，人体に直接触れる層になるため，人体に及ぼす影響が少ない粘着剤を粘着層１４の形成に用いることが必要である。また，絆創膏型ＩＣタグ１の粘着層１４の弾力性が乏しいと，人体に貼り付けた絆創膏型ＩＣタグ１が剥がれ易くなるので，絆創膏型ＩＣタグ１の粘着層１４には弾力性も必要になる。このような性質の粘着剤としては，ゴム系の粘着剤もあるが，人体の皮膚に及ぼす影響が小さいアクリル系の粘着剤を粘着層１４の形成に用いるとよい。
【００２４】
図１で図示した絆創膏型ＩＣタグ１の形態は，図１で図示した矩形（長方形）の形態ばかりではなく，帯状の形態にすることもできる。図４は，図１で図示した絆創膏型ＩＣタグ１を帯状の形態にした絆創膏型ＩＣタグ連続体２の外観を説明する図である。なお，図１を用いて説明した絆創膏型ＩＣタグ１と同じ構成要素（インレットシート１２）については，図１と同じ符号を付している。
【００２５】
図４で図示した絆創膏型ＩＣタグ連続体２は，図１で図示した絆創膏型ＩＣタグ１を複数連接させた帯状の媒体で，図４で図示した絆創膏型ＩＣタグ連続体２は，リール状に巻き取った形態をなしている。
【００２６】
図５は，絆創膏型ＩＣタグ連続体２の表裏を説明する図である。図５（ａ）は，絆創膏型ＩＣタグ連続体２の表側を説明する図で，絆創膏型ＩＣタグ連続体２の表側は帯状の表層シート２０で覆われ，帯状の表層シート２０は，インレットシート１２による矩形の膨らみ２０ａが所定の間隔をあけて並んだ状態になっている。また，絆創膏型ＩＣタグ連続体２の表側の側辺近傍には，絆創膏型ＩＣタグ連続体２を断裁するときの目印となる見当マーク２０ｂが，絆創膏型ＩＣタグ１を形成する間隔に合わせて印刷されている。図５（ｂ）は，絆創膏型ＩＣタグ連続体２の裏側を説明する図で，絆創膏型ＩＣタグ連続体２の裏側には帯状の粘着層２４が形成され，この帯状の粘着層２４は帯状の剥離台紙２５で覆われている。
【００２７】
図６は，本実施形態に係る絆創膏型ＩＣタグ連続体２の構造を説明する図で，図５（ａ）におけるＢ−Ｂ'線断面図である。絆創膏型ＩＣタグ連続体２の場合，帯状の表層シート２０の裏側に帯状の接着層２１が形成される。図６で図示したインレットシート１２の寸法は帯状の表層シート２０の内側に収まる寸法になっており，複数のインレットシート１２が，帯状の接着層２１の中央部を利用して所定間隔で帯状の表層シート２０の裏側に接着されている。また，帯状の基材シート２３の裏面には，帯状の粘着層２４と，帯状の粘着層２４を保護する帯状の剥離台紙２５が積層され，帯状の粘着層２４を形成していない面は，インレットシート１２の接着に利用されていない帯状の接着層２１の部分を利用して，帯状の表層シート２０と接着している。
【００２８】
このような絆創膏型ＩＣタグ連続体２は，帯状の表層シート２０の裏面に帯状の接着層２１を形成し，帯状の接着層２１を形成した帯状の表層シート２０の裏面に，インレットシート１２を所定間隔で貼り付けた後，帯状の粘着層２４と帯状の剥離台紙２５を積層した帯状の基材シート２３と，インレットシート１２を実装した帯状の表層シート２０を接着することで製造できる。
【００２９】
ここから，変形例に係る絆創膏型ＩＣタグ３について説明する。図７は，変形例に係る絆創膏型ＩＣタグ３の表裏を説明する図で，図１を用いて説明した絆創膏型ＩＣタグ１と同じ構成要素については，図１と同じ符号を付している。
【００３０】
図７（ａ）で図示したように，変形例に係る絆創膏型ＩＣタグ３の表側は，変形例に係る表層シート３０で覆われ，ＩＣチップ１２１を実装したインレットシート１２の部分が膨らんだ状態になっている。変形例に係る絆創膏型ＩＣタグ３では，変形例に係る表層シート３０にインレットシート１２を収める凸部３０ａを予め成型しているので，インレットシート１２の部分の膨らみは，図１よりも高くなっている。また，図７（ｂ）で図示したように，変形例に係る絆創膏型ＩＣタグ３の裏側には，変形例に係る絆創膏型ＩＣタグ３を人体に貼り付けるときに用いる粘着層１４が形成され，この粘着層１４は剥離台紙１５によって保護されている。
【００３１】
図８は，変形例に係る表層シート３０を説明する図である。変形例に係る表層シート３０には，ポリエチレンテレフタラートなど成型適正に優れた樹脂シートが利用される。変形例に係る表層シート３０には，ブリスターパックと同じ要領で，インレットシート１２を収める凸部３０ａが予め成型され，変形例に係る表層シート３０に成型された凸部３０ａ内にインレットシート１２が貼り付けられる。
【００３２】
図９は，変形例に係る絆創膏型ＩＣタグ３の構造を説明する図で，図７（ａ）におけるＣ−Ｃ’線断面図ある。変形例に係る絆創膏型ＩＣタグ３は，変形例に係る絆創膏型ＩＣタグ３の表から順に，凸部３０ａが成型された変形例に係る表層シート３０，変形例に係る表層シート３０の裏面に形成した接着層１１，硬化樹脂による保護膜で覆ったＩＣチップ１２１とこれに接続するアンテナ１２２を含むＲＦ回路１２０を少なくとも実装したインレットシート１２，変形例に係る絆創膏型ＩＣタグ３の基材になる基材シート１３，基材シート１３の裏面に形成した粘着層１４，および，粘着層１４を保護する剥離台紙１５を積層した構成になっている。
【００３３】
変形例に係る絆創膏型ＩＣタグ３では，成型適正に優れた樹脂シートを用いた変形例に係る表層シート３０に凸部３０ａを予め成型しているので，インレットシート１２の裏面（実装面の反対面）と基材シート１３間に空間３ａが生じる。変形例に係る絆創膏型ＩＣタグ３を人体に貼り付けたとき，この空間３ａによって，凸部３０ａの裏側に貼り付けたインレットシート１２が人体から浮いた状態を維持できるので，変形例に係る絆創膏型ＩＣタグ３では，人体の動きによる影響と人体の水分の影響をより小さくできるばかりか，人体から分泌される汗による影響も小さくできる。人体から分泌される汗による影響が小さくなれば，人体から分泌される汗による故障や無線通信特性の悪化を防ぐことができる。
【符号の説明】
【００３４】
１    絆創膏型ＩＣタグ
１０  表層シート
１１  接着層
１２  インレットシート
１２０  ＲＦ回路
１２１  ＩＣチップ
１２２  アンテナ
１３  基材シート
１４  粘着層
１５  剥離台紙
２    絆創膏型ＩＣタグ連続体
２０  帯状の表層シート
２１  帯状の接着層
２３  帯状の基材シート
２４  帯状の粘着層
２５  帯状の剥離台紙
３    変形例に係る絆創膏型ＩＣタグ
３０  変形例に係る表層シート
【図１】
2019008553.tif 000003
【図２】
2019008553.tif 000004
【図３】
2019008553.tif 000005
【図４】
2019008553.tif 000006
【図５】
2019008553.tif 000007
【図６】
2019008553.tif 000008
【図７】
2019008553.tif 000009
【図８】
2019008553.tif 000010
【図９】
2019008553.tif 000011